【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
情報配信センタから配信される情報を情報再生装置にて再生する情報配信システムにおいて、
第１通信領域に存し上記情報再生装置が搭載された移動体と、上記情報配信センタとの通信を、ＤＳＲＣ通信を用いて可能とする第１通信手段と、
第１通信領域よりも広い第２通信領域に存する上記移動体と上記情報配信センタとの通信を可能とし、上記第１通信手段よりも低速の通信を実現する第２通信手段と、
上記第１通信手段および上記第２通信手段のうち、上記第１通信手段を用いて上記移動体へ上記希望情報を送信することを選択する選択手段とを備え、
上記希望情報の送信に用いるＤＳＲＣ端末装置を予約するために、該送信前に予約するための予約ＤＳＲＣ情報を、上記第１通信手段または上記第２通信手段を用いて、上記移動体から上記情報配信センタへ送信することを特徴とする情報配信システム。
【請求項２】
情報配信センタから配信される情報を情報再生装置にて再生する情報配信システムにおいて、
第１通信領域に存し上記情報再生装置が搭載された移動体と、上記情報配信センタとの通信を、ＤＳＲＣ通信を用いて可能とする第１通信手段と、
第１通信領域よりも広い第２通信領域に存する上記移動体と上記情報配信センタとの通信を可能とし、上記第１通信手段よりも低速の通信を実現する第２通信手段と、
上記移動体がＤＳＲＣ通信の交信領域に入った場合に該移動体に搭載された位置判断手段から送信される第１位置情報と、上記第１位置情報の送信後に上記位置判断手段から送信される第２位置情報とに基づいて該移動体の進行方向を識別し、該移動体のユーザが上記情報配信センタから配信を希望する希望情報の属性情報の程度として、上記移動体から、該移動体に最も近い位置に存するＤＳＲＣ端末装置までの距離を判断する判断手段と、
上記判断手段の判断情報に基づき、上記第１通信手段または上記第２通信手段のいずれを用いて上記情報再生装置へ上記希望情報を配信するかを選択する選択手段とを備えていることを特徴とする情報配信システム。
【請求項３】
前記ＤＳＲＣ端末は、所定の距離をおいて複数設置されていることを特徴とする請求項１または２に記載の情報配信システム。
【請求項４】
前記ＤＳＲＣ端末は、駐車場に設置されていることを特徴とする請求項１から３のいずれか１項に記載の情報配信システム。
【請求項５】
第１通信領域に存する移動体と情報配信センタとの通信をＤＳＲＣ通信を用いて可能とする第１通信手段と、第１通信領域よりも広い第２通信領域に存する上記移動体と上記情報配信センタとの通信を可能とする第２通信手段とを備え、上記第１通信手段による通信速度が上記第２通信手段による通信速度よりも高い情報取得装置において、
上記第１通信手段および上記第２通信手段のうち、上記第１通信手段を用いて上記情報配信センタから上記希望情報を受信し、
上記希望情報の送信に用いるＤＳＲＣ端末装置を予約するために、該送信前に予約するための予約ＤＳＲＣ情報を上記第１通信手段または上記第２通信手段を用いて、上記情報配信センタへ送信することを特徴とする情報取得装置。
【請求項６】
第１通信領域に存する移動体と第１通信手段によりＤＳＲＣ通信を用いて通信するとともに、第１通信領域よりも広い第２通信領域に存する移動体と第２通信手段により通信する一方で、上記第１通信手段による通信速度が上記第２通信手段による通信速度よりも高い情報配信サーバにおいて、
上記第１通信手段または上記第２通信手段のうち、上記第１通信手段を用いて上記移動体の利用者が上記情報配信センタから取得を希望する希望情報を送信することを選択する選択手段を備え、
上記希望情報の送信に用いるＤＳＲＣ端末装置を予約するために、該送信前に予約するための予約ＤＳＲＣ情報を、上記第１通信手段または上記第２通信手段を用いて、上記移動体から受信することを特徴とする情報配信サーバ。
【請求項７】
第１通信領域に存する移動体と第１通信手段によりＤＳＲＣ通信を用いて通信するとともに、第１通信領域よりも広い第２通信領域に存する移動体と第２通信手段により通信する一方で、上記第１通信手段による通信速度が上記第２通信手段による通信速度よりも高い情報配信サーバにおいて、
上記移動体がＤＳＲＣ通信の交信領域に入った場合に該移動体に搭載された位置判断手段から送信される第１位置情報と、上記第１位置情報の送信後に上記位置判断手段から送信される第２位置情報とに基づいて該移動体の進行方向を識別し、上記移動体の利用者が取得を希望する希望情報に関する属性情報の程度として、上記移動体に最も近い位置に存するＤＳＲＣ端末装置の交信領域に該移動体が到達するまでに要する時間の長さを判断する判断手段と、
上記判断手段の判断情報に基づき、上記第１通信手段または上記第２通信手段のいずれを用いて上記移動体へ上記希望情報を送信するかを選択する選択手段とを備えていることを特徴とする情報配信サーバ。
【請求項８】
第１通信領域に存する移動体と情報配信センタとの通信をＤＳＲＣ通信を用いて可能とする第１通信手段と、第１通信領域よりも広い第２通信領域に存する上記移動体と上記情報配信センタとの通信を可能とする第２通信手段とを備え、上記第１通信手段による通信速度が上記第２通信手段による通信速度よりも高い情報配信システムの情報配信制御方法において、
上記第１通信手段または上記第２通信手段のうち、上記第１通信手段を用いて上記移動体の利用者が上記情報配信センタから取得を希望する希望情報を送信することを選択する選択ステップを備え、
上記希望情報の送信に用いるＤＳＲＣ端末装置を予約するために、該送信前に予約するための予約ＤＳＲＣ情報を、上記第１通信手段または上記第２通信手段を用いて、上記移動体から上記情報配信センタへ送信することを特徴とする情報配信制御方法。
【請求項９】
第１通信領域に存する移動体と情報配信センタとの通信をＤＳＲＣ通信を用いて可能とする第１通信手段と、第１通信領域よりも広い第２通信領域に存する上記移動体と上記情報配信センタとの通信を可能とする第２通信手段とを備え、上記第１通信手段による通信速度が上記第２通信手段による通信速度よりも高い情報配信システムの情報配信制御方法において、
上記移動体がＤＳＲＣ通信の交信領域に入った場合に該移動体に搭載された位置判断手段から送信される第１位置情報と、上記第１位置情報の送信後に上記位置判断手段から送信される第２位置情報とに基づいて該移動体の進行方向を識別して、上記移動体の利用者が上記情報配信センタから取得を希望する希望情報に関する属性情報の程度としての、上記移動体に最も近い位置に存するＤＳＲＣ端末装置の交信領域に該移動体が到達するまでに要する時間の長さを判断し、上記第１通信手段または上記第２通信手段のいずれを用いて上記移動体へ上記希望情報を送信するかを選択することを特徴とする情報配信制御方法。
【請求項１０】
請求の範囲第８または第９項に記載の情報配信制御方法をコンピュータに実行させるための情報配信制御プログラム。
【請求項１１】
請求の範囲第１０項に記載の情報配信制御プログラムを記録したコンピュータ読み取り可能な記録媒体。
【手続補正２】
【補正対象書類名】明細書
【補正対象項目名】００１６
【補正方法】変更
【補正の内容】
【００１６】
上記の問題を解決するために、本発明の情報配信システムは、情報配信センタから配信される情報を情報再生装置にて再生する情報配信システムにおいて、第１通信領域に存し上記情報再生装置が搭載された移動体と、上記情報配信センタとの通信を、ＤＳＲＣ通信を用いて可能とする第１通信手段と、第１通信領域よりも広い第２通信領域に存する上記移動体と上記情報配信センタとの通信を可能とし、上記第１通信手段よりも低速の通信を実現する第２通信手段とを備え、上記第１通信手段および上記第２通信手段のうち、上記第１通信手段を用いて上記移動体へ上記希望情報を送信することを選択する選択手段とを備え、上記希望情報の送信に用いるＤＳＲＣ端末装置を予約するために、該送信前に予約するための予約ＤＳＲＣ情報を、上記第１通信手段または上記第２通信手段を用いて、上記移動体から上記情報配信センタへ送信することを特徴としている。
【手続補正３】
【補正対象書類名】明細書
【補正対象項目名】００１７
【補正方法】変更
【補正の内容】
【００１７】
また、上記の問題を解決するために、本発明の情報配信システムは、情報配信センタから配信される情報を情報再生装置にて再生する情報配信システムにおいて、第１通信領域に存し上記情報再生装置が搭載された移動体と、上記情報配信センタとの通信を、ＤＳＲＣ通信を用いて可能とする第１通信手段と、第１通信領域よりも広い第２通信領域に存する上記移動体と上記情報配信センタとの通信を可能とし、上記第１通信手段よりも低速の通信を実現する第２通信手段と、上記移動体がＤＳＲＣ通信の交信領域に入った場合に該移動体に搭載された位置判断手段から送信される第１位置情報と、上記第１位置情報の送信後に上記位置判断手段から送信される第２位置情報とに基づいて該移動体の進行方向を識別し、該移動体のユーザが上記情報配信センタから配信を希望する希望情報の属性情報の程度として、上記移動体から、該移動体に最も近い位置に存するＤＳＲＣ端末装置までの距離を判断する判断手段と、上記判断手段の判断情報に基づき、上記第１通信手段または上記第２通信手段のいずれを用いて上記情報再生装置へ上記希望情報を配信するかを選択する選択手段とを備えていることを特徴としている。